(57)【要約】  【課題】電池式でありながら、電池収容部による出っ張りを作ることなく、３６０°折り返し可能な電子機器を提供すること。  【解決手段】電子機器１０は、キーユニット２０、表示ユニット３０及び電池収容ユニット４０を備え、電池収容ユニット４０は、キーユニット２０を１８０°回動可能に支持する第１ヒンジ軸４３ａと、表示ユニット３０を１８０°回動可能に支持する第２ヒンジ軸４３ｂとを備え、電池収容ユニット４０に対するキーユニット２０及び表示ユニット３０の回動によって、収納姿勢の状態から表示ユニット３０をキーユニット２０に対して３６０°折り返した折り返し展開姿勢を許容する。【選択図】図５
2017054157.tif 000002
【特許請求の範囲】
【請求項１】
キーユニットと、表示ユニットと、前記キーユニット及び前記表示ユニットを回動自在に連結するヒンジ部を有する電池収容ユニットと、を備えた電子機器であって、
前記電池収容ユニットの長さ方向両端部に設けられた前記ヒンジ部のそれぞれは、
前記キーユニットを前記電池収容ユニットに対して回動可能に支持する第１ヒンジ軸と、
前記表示ユニットを前記電池収容ユニットに対して回動可能に支持する第２ヒンジ軸と、を備え、
前記第１ヒンジ軸及び前記第２ヒンジ軸は、前記電池収容部の長さ方向の前記端部の中央からほぼ同じ距離離れた位置に位置し、
前記電池収容部は、前記キーユニット及び前記表示ユニットを合わせたときの厚みに近い外形とされており、
前記表示ユニットの表示面が前記キーユニットのキー操作面と向かい合わせになる収納姿勢と、
前記表示ユニットの前記表示面が前記キーユニットの前記キー操作面から離れるように前記ヒンジ部を基準に前記表示ユニットを回動させた展開姿勢と、が許容されており、
前記展開姿勢は、前記電池収容ユニットに対する前記キーユニット及び前記表示ユニットの回動によって、前記収納姿勢の状態から前記表示ユニットを前記キーユニットに対して略３６０°折り返した折返し展開姿勢まで許容されていることを特徴とする電子機器。
【請求項２】
前記電池収容ユニットは、
開口を介して電池が出し入れされる電池収容部と、
前記開口を開閉自在に覆う電池カバーと、を備え、
前記電池カバーは、前記収納姿勢の状態のときに、前記電池収容部の前記キーユニット及び前記表示ユニットが位置する側と反対側の位置に位置して、前記電池カバーの開閉操作が可能であり、
一方、前記電池カバーは、折返し展開姿勢の状態のときに、前記電池収容部の前記キーユニット及び前記表示ユニットが位置する側に位置して、前記電池カバーの開閉操作が規制されることを特徴とする請求項１に記載の電子機器。
【請求項３】
前記キーユニットに内装される主基板と、
前記表示ユニットに内装される表示基板と、
前記主基板と前記表示基板とを電気的に接続する可撓性の平板状ケーブルと、を備え、
前記平板状ケーブルは、前記主基板から前記ヒンジ部内を通って前記表示基板に到達し、前記ヒンジ部内では、前記第１ヒンジ軸及び前記第２ヒンジ軸の外周に沿うことを特徴とする請求項１又は２に記載の電子機器。
【発明の詳細な説明】
【技術分野】
【０００１】
本発明は電子機器に関するものである。
【背景技術】
【０００２】
ヒンジ部を介して回動自在に連結されたキーユニットと表示ユニットとを備える携帯型の電子機器が広く普及している。
例えば、特許文献１には、表示ユニットの表示面がキーユニットのキー操作面と向かい合わせになる折り畳み収納姿勢と、キーユニットの後端部から表示ユニットが立ち上がるキー操作を行うための半開きの展開姿勢と、折り畳み収納姿勢から表示ユニットをキーユニットに対して略３６０°折り返した表示面だけを見るような３６０°折り返し姿勢と、を許容する携帯型の電子機器が開示されている。
【先行技術文献】
【特許文献】
【０００３】
【特許文献１】特開平１０−１６１７７３号公報
【発明の概要】
【発明が解決しようとする課題】
【０００４】
ところで、携帯型の電子機器には、充電可能な充電式と、電池切れに応じて電池交換を行う電池式とがある。
充電式では、扁平形状のバッテリをキーユニット側に内蔵しているので、キーユニットと表示ユニットのヒンジ部分の設計自由度が高い構成とすることができ、３６０°折り返した姿勢としても、このヒンジ部分に余計な出っ張りのない形状を容易に実現することが可能である。
【０００５】
一方、電池式では、前記充電バッテリとは異なり、キーユニット内に電池を収容するようにすると、キーユニットの厚みが厚いものとなるため、ヒンジ部分に電池を収容する構成とされる場合が多い。
【０００６】
しかしながら、そもそもキーユニットの厚みを厚いものとしないためにヒンジ部に設けられる電池を収容する構造は、キーユニットよりも厚みが厚くなるからキーユニットよりも表示ユニット側に出っ張る構造となることになり、この出っ張りが邪魔になるため、３６０°に折り返した姿勢にしたものが見当たらない。
【０００７】
また、この出っ張りがあると、仮に、３６０°折り返すようにしたとしても出っ張りが残ったままでは、その出っ張りが電子機器を手で持つときの邪魔に感じたりするという問題がある。
【０００８】
一方で、充電式では、充電が切れてしまうと充電が終わるまで電子機器が使用できないが、電池式では、電池が切れそうになれば、電気屋やコンビニといったところで簡単に電池が入手できるとともに、使用済み電池は廃棄すれば良いだけであるから、この点、利便性が高いと言える。
【０００９】
本発明は、このような事情に鑑みなされたものであり、電池収容部による出っ張りを作ることなく、３６０°折り返し可能な電子機器を提供することを目的とする。
【課題を解決するための手段】
【００１０】
上記目的を達成するために、本発明は、以下の構成により把握される。
本発明の電子機器は、キーユニットと、表示ユニットと、前記キーユニット及び前記表示ユニットを回動自在に連結するヒンジ部を有する電池収容ユニットと、を備えた電子機器であって、前記電池収容ユニットの長さ方向両端部に設けられた前記ヒンジ部のそれぞれは、前記キーユニットを前記電池収容ユニットに対して回動可能に支持する第１ヒンジ軸と、前記表示ユニットを前記電池収容ユニットに対して回動可能に支持する第２ヒンジ軸と、を備え、前記第１ヒンジ軸及び前記第２ヒンジ軸は、前記電池収容部の長さ方向の前記端部の中央からほぼ同じ距離離れた位置に位置し、前記電池収容部は、前記キーユニット及び前記表示ユニットを合わせたときの厚みに近い外形とされており、前記表示ユニットの表示面が前記キーユニットのキー操作面と向かい合わせになる収納姿勢と、前記表示ユニットの前記表示面が前記キーユニットの前記キー操作面から離れるように前記ヒンジ部を基準に前記表示ユニットを回動させた展開姿勢と、が許容されており、前記展開姿勢は、前記電池収容ユニットに対する前記キーユニット及び前記表示ユニットの回動によって、前記収納姿勢の状態から前記表示ユニットを前記キーユニットに対して略３６０°折り返した折返し展開姿勢まで許容されている。
【発明の効果】
【００１１】
本発明によれば、電池収容部による出っ張りを作ることなく、３６０°折り返し可能な電子機器を提供することができる。
【図面の簡単な説明】
【００１２】
【図１】本発明の実施形態に係る電子機器を示す図であり、（ａ）は収納姿勢の電子機器を示す斜視図、（ｂ）は展開姿勢の電子機器を示す斜視図である。
【図２】本発明の実施形態に係る電子機器の電池収容部を示す図であり、（ａ）は電池カバーを取り外した状態の電子機器を示す斜視図、（ｂ）は電池収容部の一部周辺を拡大した断面図である。
【図３】本発明の実施形態に係る電子機器の３６０°折り返し姿勢を示す図であり、（ａ）は３６０°折り返し姿勢の電子機器をキーユニット側から見た斜視図、（ｂ）は３６０°折り返し姿勢の電子機器を表示ユニット側から見た斜視図である。
【図４】本発明の実施形態に係る電子機器の電池収容ユニットを示す図であり、（ａ）は電池収容ユニットを後方から見た斜視図、（ｂ）は電池収容ユニットを前方から見た斜視図、（ｃ）は電池収容ユニットのヒンジ部を示す斜視図である。
【図５】本発明の実施形態に係る電子機器の姿勢変化を示す図であり、（ａ）は電子機器の収納姿勢を示す断面図、（ｂ）は電子機器の展開姿勢（１２０°展開姿勢）を示す断面図、（ｃ）は電子機器の展開姿勢（１８０°展開姿勢）を示す断面図、（ｄ）は電子機器の展開姿勢（３６０°折り返し姿勢）を示す断面図である。
【図６】本発明の実施形態に係る電子機器の配線構造を示す内部平面図である。
【図７】本発明の実施形態に係る電子機器の配線構造を示す図であり、（ａ）は右側ヒンジ部の内部斜視図、（ｂ）は左側ヒンジ部の内部斜視図である。
【発明を実施するための形態】
【００１３】
以下、本発明に係る実施形態の電子機器について、図面を用いて説明する。
図１の（ａ）、（ｂ）は、本発明の実施形態に係る電子機器１０の収納姿勢及び展開姿勢を示す斜視図であり、本実施形態では、本発明の電子機器１０を電子辞書として実施する場合を例にとって説明する。
【００１４】
電子機器１０は、互いに回動自在に連結されたキーユニット２０と表示ユニット３０とを備えている。
【００１５】
キーユニット２０は、薄型箱形状の筐体２１と、筐体２１の一方の面（キー操作面２０ａ）に配列される多数の操作キー２２と、筐体２１の内部に収容された主基板２３（図６参照）と、を備えている。
【００１６】
表示ユニット３０は、薄型箱形状の筐体３１と、筐体３１の一方の面（表示面３０ａ：収納姿勢においてキーユニット２０のキー操作面２０ａと向かい合わせになる面）に文字や画像を表示するタッチパネル式の液晶パネル３２と、筐体３１の内部に収容された表示基板３３（図６参照）と、を備えている。
【００１７】
主基板２３は、図示を省略するが、基本的なプログラムを記憶するＲＯＭと、ファームウェアなどのプログラムを書き換え可能に記憶するプログラム記憶部と、辞書コンテンツなどのデータを書き換え可能に記憶するコンテンツ記憶部と、キー操作信号やタッチパネル信号を入力する入力ポートと、液晶パネル３２に表示信号を出力する出力ポートと、ファームウェアの更新やコンテンツの追加に際して外部電子機器（ＰＣなど）と通信を行う通信インタフェースと、プログラムに従って上記の各部を制御するＣＰＵと、を備えている。
【００１８】
電子辞書からなる本実施形態の電子機器１０は、コンテンツ記憶部に各種の辞書コンテンツを記憶しており、操作キー２２の操作や液晶パネル３２のタッチパネル操作に基づいて各種の辞書検索を行うことができる。
【００１９】
図１の（ａ）に示すように、電子機器１０は、表示ユニット３０の表示面３０ａがキーユニット２０のキー操作面２０ａと向かい合わせになる折り畳み状態で収納されており、辞書検索を行う場合は、図１の（ｂ）に示すように、表示ユニット３０の表示面３０ａがキーユニット２０のキー操作面２０ａから離れるように表示ユニット３０を回動させた展開姿勢として入力操作を行う。
【００２０】
ところで、コンテンツ記憶部には、辞書コンテンツ以外にも様々なコンテンツを収録することができる。
例えば、電子書籍コンテンツを収録すれば、電子辞書である電子機器１０を電子書籍リーダとして使用することが可能になる。
【００２１】
電子機器１０を電子書籍リーダとして使用する場合、操作キー２２を使用することなく、液晶パネル３２のタッチパネル操作でページ送りを行うことが想定される。
このような使用形態では、キーユニット２０が邪魔になるため、収納姿勢の状態から表示ユニット３０をキーユニット２０に対して略３６０°折り返した姿勢とし、タブレットＰＣやスマートフォンのような操作性を実現することが望まれる。
【００２２】
図２は、本発明の実施形態に係る電子機器１０の電池収容部４１を示す図であり、（ａ）は電池カバー４２を取り外した状態の電子機器１０を示す斜視図、（ｂ）は電池収容部４１の一部周辺を拡大した断面図である。
電子機器１０は、電池Ｂを電源として動作する電池式であり、電池Ｂを収容する電池収容部４１を備えている。
例えば、電池収容部４１には、単３型乾電池からなる２つの電池Ｂが直列状に収容される。
【００２３】
電池収容部４１は、キーユニット２０と表示ユニット３０との回動中心位置に設けられており、電池Ｂを出し入れするための開口４１ａと、開口４１ａを開閉自在に覆う電池カバー４２とを備えている。
図２の（ａ）に示すように、開口４１ａは、電子機器１０が収納姿勢のとき、外側方を向くように形成されている。
【００２４】
電池カバー４２は、図２の（ｂ）に示すように、電池収容部４１に収容された電池Ｂの外周面に沿う円弧形状を有し、円弧方向の一端部には、電池収容部４１の第１係合溝４１ｂに係合する係合突起４２ａが形成される一方、円弧方向の他端部には、電池収容部４１の第２係合溝４１ｃに係合する弾性変形可能なフック４２ｂが形成されている。
【００２５】
電池カバー４２を開口４１ａに取り付ける場合は、係合突起４２ａを電池収容部４１の第１係合溝４１ｂに係合させた状態で、フック４２ｂを電池収容部４１の第２係合溝４１ｃに押し込むことにより、フック４２ｂが第２係合溝４１ｃに係合し、電池カバー４２が取り付け状態に維持される。
また、電池カバー４２を取り外す場合は、フック４２ｂを押し上げると、フック４２ｂが第２係合溝４１ｃから抜け出し、電池カバー４２の取り外しが可能になる。
【００２６】
図３は、本発明の実施形態に係る電子機器１０の３６０°折り返し姿勢を示す図であり、（ａ）は３６０°折り返し姿勢の電子機器１０をキーユニット２０側から見た斜視図、（ｂ）は３６０°折り返し姿勢の電子機器１０を表示ユニット３０側から見た斜視図である。
【００２７】
本発明の実施形態に係る電子機器１０は、電池式でありながら、収納姿勢の状態から表示ユニット３０をキーユニット２０に対して略３６０°折り返した３６０°折り返し姿勢が許容されるとともに、３６０°折り返し姿勢としても電池収容部４１による出っ張りができないように構成されている。
【００２８】
以下、電池収容部４１による出っ張りのない３６０°折り返し姿勢を実現する電池式の電子機器１０の要部である電池収容ユニット４０について、図４以降を参照して具体的に説明する。
【００２９】
図４は、本発明の実施形態に係る電子機器１０の電池収容ユニット４０を示す図であり、（ａ）は電池収容ユニット４０を後方から見た斜視図、（ｂ）は電池収容ユニット４０を前方から見た斜視図、（ｃ）は電池収容ユニット４０のヒンジ部４３を示す斜視図である。
【００３０】
電池収容ユニット４０は、キーユニット２０及び表示ユニット３０から分離して構成されるユニットであり、前述した電池収容部４１及び電池カバー４２と、電池収容部４１の長さ方向両端部に設けられた一対のヒンジ部４３と、ヒンジ部４３を覆うヒンジカバー４４と、を備えている。
【００３１】
各ヒンジ部４３は、キーユニット２０を電池収容ユニット４０に対して回動可能に支持する第１ヒンジ軸４３ａと、表示ユニット３０を電池収容ユニット４０に対して回動可能に支持する第２ヒンジ軸４３ｂと、を備えている。
例えば、本実施形態では、各ヒンジ軸４３ａ、４３ｂに予め可動フレーム４３ｃ、４３ｄを回動可能に連結しておき、電子機器１０の組み立て段階で可動フレーム４３ｃ、４３ｄにキーユニット２０及び表示ユニット３０をビス固定している。
【００３２】
第１ヒンジ軸４３ａ及び第２ヒンジ軸４３ｂは、電池収容部４１の長さ方向両端部の中央からほぼ同じ距離離れた位置に位置しており、電池収容部４１は、キーユニット２０及び表示ユニット３０を重ね合わせたときの厚みに近い外形とされている。
例えば、キーユニット２０及び表示ユニット３０の厚みがいずれも約Ｄである場合、収納姿勢における電池収容ユニット４０の高さを２Ｄとするとともに、電池収容部４１の長さ方向両端部の中央から第１ヒンジ軸４３ａ及び第２ヒンジ軸４３ｂまでの距離をそれぞれ約Ｄ／２とする（図５の（ａ）参照）。
【００３３】
第１ヒンジ軸４３ａ及び第２ヒンジ軸４３ｂの基部には、キーユニット２０及び表示ユニット３０の回動範囲を制限するとともに、キーユニット２０及び表示ユニット３０の回動に抵抗を付与する回動制御機構４３ｅが設けられている。
例えば、本実施形態の回動制御機構４３ｅは、電池収容ユニット４０に対するキーユニット２０及び表示ユニット３０の回動範囲をそれぞれ１８０°に制限するとともに、電池収容ユニット４０に対する表示ユニット３０の回動抵抗を、電池収容ユニット４０に対するキーユニット２０の回動抵抗よりも大きくしている。
【００３４】
次に、本発明の実施形態に係る電子機器１０の姿勢変化について、図５を参照して説明する。
図５は、本発明の実施形態に係る電子機器１０の姿勢変化を示す図であり、（ａ）は電子機器１０の収納姿勢を示す断面図、（ｂ）は電子機器１０の展開姿勢（１２０°展開姿勢）を示す断面図、（ｃ）は電子機器１０の展開姿勢（１８０°展開姿勢）を示す断面図、（ｄ）は電子機器１０の展開姿勢（３６０°折り返し姿勢）を示す断面図である。
なお、電子機器１０は、収納姿勢と、展開姿勢とが許容されており、展開姿勢には、１２０°展開姿勢、１８０°展開姿勢、３６０°折り返し姿勢などが含まれている。
【００３５】
図５の（ａ）に示すように、収納姿勢は、表示ユニット３０の表示面３０ａがキーユニット２０のキー操作面２０ａと向かい合わせになる折り畳み状の姿勢である。
【００３６】
収納姿勢では、電池収容ユニット４０の位置が、キーユニット２０及び表示ユニット３０を重ね合わせたときの厚み範囲に収まっており、電池収容部４１による出っ張りを生じさせない。
【００３７】
また、収納姿勢では、原則的に電源がオフになるとともに、表示ユニット３０の表示面３０ａ及びキーユニット２０のキー操作面２０ａが隠れているので、収納状態における誤操作や表示画面の損傷などが防止される。
【００３８】
例えば、図３（ｂ）に示すように、３６０°の展開姿勢の状態で電池カバー４２の取り外しができるようにすることも可能であるが、そうすると、表示ユニット３０の表示面３０ａ及びキーユニット２０のキー操作面２０ａが表側に向いている状態での電池交換の作業を行うことになる。
【００３９】
そうすると、電源がオンでも作業ができることになるため、電源がオンの状態でいきなり電池Ｂを外してしまうような電子機器１０にとってあまり望ましくない事態を招く恐れがある。
【００４０】
一方、本実施形態のように、収納姿勢とすることで、電池カバー４２が、電池収容部４１を基準としてキーユニット２０及び表示ユニット３０と反対側に位置して、キーユニット２０及び表示ユニット３０に邪魔されることなく電池カバー４２の開閉操作ができるようにし、展開姿勢のときにはキーユニット２０及び表示ユニット３０に邪魔されて電池カバー４２の開閉操作ができないようにしておけば、上述のような電源がオンの状態で電池Ｂが取り外されるようなことを防止することが可能である。
【００４１】
図５の（ｂ）に示すように、１２０°展開姿勢は、表示ユニット３０の表示面３０ａがキーユニット２０のキー操作面２０ａから離れるようにヒンジ部４３を基準に表示ユニット３０を１２０°回動させた姿勢であり、電子機器１０を例えば机の上で電子辞書として使用する場合に好適な姿勢である。
【００４２】
収納姿勢から１２０°展開姿勢への回動操作に際しては、前述した回動抵抗の差により、電池収容ユニット４０に対するキーユニット２０の回動が優先されるため、電池収容ユニット４０は表示ユニット３０の回動操作に一体的に追従する。
【００４３】
図５の（ｃ）に示すように、１８０°展開姿勢は、１２０°展開姿勢からさらに表示ユニット３０を開き方向に６０°回動させた姿勢であり、電子機器１０を例えば膝の上で電子辞書として使用する場合に好適な姿勢である。
【００４４】
１２０°展開姿勢から１８０°展開姿勢への回動操作に際しては、収納姿勢から１２０°展開姿勢への回動操作と同様、電池収容ユニット４０に対するキーユニット２０の回動が優先されため、電池収容ユニット４０は表示ユニット３０の回動操作に一体的に追従する。これにより、電池収容ユニット４０は、収納姿勢の状態からキーユニット２０に対して１８０°回動され、キーユニット２０の裏側に回り込む。
【００４５】
つまり、収納姿勢のときは、キーユニット２０よりも表示ユニット３０側に位置する電池収容ユニット４０の出っ張り部分はキーユニット２０の上側に位置していたが、この１８０°回動された状態では、電池収容ユニット４０が表示ユニット３０と一体的に追従して回転したことにより、キーユニット２０の下側に位置するようになる。
【００４６】
そして、さらに表示ユニット３０の展開を行うように、１８０°展開姿勢から３６０°の折り返し姿勢への回動を行う回動操作に際しては、電池収容ユニット４０に対するキーユニット２０の回動角度が制限角度である１８０°に達しているので、上述したように、電池収容ユニット４０に対する表示ユニット３０の回動が優先される。
【００４７】
したがって、１８０°展開姿勢からさらに表示ユニット３０を開き方向に１８０°回動させた図５の（ｄ）に示す３６０°の折り返し姿勢のときには、収納姿勢のときにキーユニット２０の上側に位置していた表示ユニット３０が下側に位置するようになるため、キーユニット２０の下側に出っ張るように位置している電池収容ユニット４０の出っ張り部分は、表示ユニット３０が下側に位置するようになることで出っ張らない状態になる。
【００４８】
つまり、表示ユニット３０をキーユニット２０に対して１８０°回動させるときに、電池収容ユニット４０の出っ張り部分をキーユニット２０の裏側に回り込ませる動作として、その上で、キーユニット２０に対する出っ張り状態が逆転した電池収容ユニット４０の出っ張り側に表示ユニット３０を位置させるようにして３６０°の折り返し姿勢を実現するようにしているため、３６０°展開姿勢の状態になったときに、電池収容ユニット４０が、キーユニット２０及び表示ユニット３０を重ね合わせたときの厚み範囲に収まるようになっており、電池収容部４１による出っ張りを生じさせないようになっている。
【００４９】
この３６０°の折り返し姿勢（３６０°展開姿勢）では、例えば、電子機器１０を電子書籍リーダとして使用する場合に好適な姿勢であり、片手で電子機器１０のキーユニット２０側を支えるように電子機器１０を持って、もう一方の手の指でページめくりの操作などを行うことになるが、本実施形態では、上述のように、電池収容ユニット４０が出っ張らないようになっているため、片手で電子機器１０が持ち易くなっている。
【００５０】
また、３６０°折り返し姿勢では、電池カバー４２が、電池収容部４１を基準としてキーユニット２０及び表示ユニット３０と同じ側に位置するので、キーユニット２０及び表示ユニット３０に邪魔されて電池カバー４２の開閉操作が規制される。これにより、上述した電源がオンの状態での電池Ｂの取り外しが防止されるのみならず、電子機器１０の落下などに伴う電池カバー４２の外れや、それに伴う電池Ｂの飛び出しを防止することが可能になる。
【００５１】
次に、本発明の実施形態に係る電子機器１０の配線構造について、図６及び図７を参照して説明する。
図６は、本発明の実施形態に係る電子機器１０の配線構造を示す内部平面図であり、図７は、本発明の実施形態に係る電子機器１０の配線構造を示す図であり、（ａ）は右側ヒンジ部４３の内部斜視図、（ｂ）は左側ヒンジ部４３の内部斜視図である。
【００５２】
電子機器１０の内部には、少なくとも、主基板２３と表示基板３３とを電気的に接続する表示配線５１と、主基板２３と電池Ｂとを電気的に接続する電池配線５２、５３と、が引き回しされている。
【００５３】
表示配線５１は、ヒンジ部４３を介して互いに３６０°の回動が可能なキーユニット２０と表示ユニット３０との間に配線されるため、キーユニット２０と表示ユニット３０との相対回動に追従すべく可撓性の平板状ケーブルを用いて構成されているが、その引き回し位置によっては、表示配線５１に引っ張り荷重や捩じれ荷重が作用し、断線する可能性がある。
【００５４】
このような問題を解消するために本実施形態の表示配線５１は、主基板２３からヒンジ部４３内を通って表示基板３３に到達し、ヒンジ部４３内では、第１ヒンジ軸４３ａ及び第２ヒンジ軸４３ｂの外周に沿うように引き回しされている。
【００５５】
このような表示配線５１によれば、キーユニット２０及び表示ユニット３０の回動中心である第１ヒンジ軸４３ａ及び第２ヒンジ軸４３ｂの外周に沿うことにより、キーユニット２０と表示ユニット３０との相対回動に伴う引っ張り荷重や捩じれ荷重を抑制し、表示配線５１の断線が防止される。
【００５６】
具体的に説明すると、本実施形態の表示配線５１は、主基板２３に接続される主基板接続コネクタ５１ａと、主基板接続コネクタ５１ａから右側ヒンジ部４３の外側方に至るキーユニット側配線部５１ｂと、キーユニット側配線部５１ｂの先端から内側方に延在して右側ヒンジ部４３の内部に至るヒンジ進入配線部５１ｃと、ヒンジ進入配線部５１ｃの先端から第１ヒンジ軸４３ａ及び第２ヒンジ軸４３ｂの並び方向に延在し、第１ヒンジ軸４３ａ及び第２ヒンジ軸４３ｂの外周に沿うヒンジ内配線部５１ｄと、ヒンジ内配線部５１ｄの先端から外側方に延在してヒンジ部４３の外部に至るヒンジ退出配線部５１ｅと、ヒンジ退出配線部５１ｅの先端から表示基板３３に至る表示ユニット側配線部５１ｆと、表示ユニット側配線部５１ｆの先端に設けられ、表示基板３３に接続される表示基板接続コネクタ５１ｇと、を備えている。
【００５７】
電池配線５２、５３は、電池収容部４１の左右両端部からヒンジ部４３内を通ってキーユニット２０に至り、主基板２３に接続される。そして、電池配線５２、５３は、ヒンジ部４３の内部で第１ヒンジ軸４３ａに沿うことにより、キーユニット２０と電池収容ユニット４０との相対回動に伴う引っ張り荷重や捩じれ荷重を抑制し、断線が防止される。
【００５８】
なお、本発明の技術的範囲には、本発明の目的が達成される範囲での様々な変形や改良などが含まれるものである。
【００５９】
以下に、この出願の願書に最初に添付した特許請求の範囲に記載した発明を付記する。付記に記載した請求項の項番は、この出願の願書に最初に添付した特許請求の範囲の通りである。
＜請求項１＞
キーユニットと、表示ユニットと、前記キーユニット及び前記表示ユニットを回動自在に連結するヒンジ部を有する電池収容ユニットと、を備えた電子機器であって、
前記電池収容ユニットの長さ方向両端部に設けられた前記ヒンジ部のそれぞれは、
前記キーユニットを前記電池収容ユニットに対して回動可能に支持する第１ヒンジ軸と、
前記表示ユニットを前記電池収容ユニットに対して回動可能に支持する第２ヒンジ軸と、を備え、
前記第１ヒンジ軸及び前記第２ヒンジ軸は、前記電池収容部の長さ方向の前記端部の中央からほぼ同じ距離離れた位置に位置し、
前記電池収容部は、前記キーユニット及び前記表示ユニットを合わせたときの厚みに近い外形とされており、
前記表示ユニットの表示面が前記キーユニットのキー操作面と向かい合わせになる収納姿勢と、
前記表示ユニットの前記表示面が前記キーユニットの前記キー操作面から離れるように前記ヒンジ部を基準に前記表示ユニットを回動させた展開姿勢と、が許容されており、
前記展開姿勢は、前記電池収容ユニットに対する前記キーユニット及び前記表示ユニットの回動によって、前記収納姿勢の状態から前記表示ユニットを前記キーユニットに対して略３６０°折り返した折返し展開姿勢まで許容されていることを特徴とする電子機器。
＜請求項２＞
前記電池収容ユニットは、
開口を介して電池が出し入れされる電池収容部と、
前記開口を開閉自在に覆う電池カバーと、を備え、
前記電池カバーは、前記収納姿勢の状態のときに、前記電池収容部の前記キーユニット及び前記表示ユニットが位置する側と反対側の位置に位置して、前記電池カバーの開閉操作が可能であり、
一方、前記電池カバーは、折返し展開姿勢の状態のときに、前記電池収容部の前記キーユニット及び前記表示ユニットが位置する側に位置して、前記電池カバーの開閉操作が規制されることを特徴とする請求項１に記載の電子機器。
＜請求項３＞
前記キーユニットに内装される主基板と、
前記表示ユニットに内装される表示基板と、
前記主基板と前記表示基板とを電気的に接続する可撓性の平板状ケーブルと、を備え、
前記平板状ケーブルは、前記主基板から前記ヒンジ部内を通って前記表示基板に到達し、前記ヒンジ部内では、前記第１ヒンジ軸及び前記第２ヒンジ軸の外周に沿うことを特徴とする請求項１又は２に記載の電子機器。
【符号の説明】
【００６０】
１０    電子機器
２０    キーユニット
２０ａ  キー操作面
２２    操作キー
２３    主基板
３０    表示ユニット
３０ａ  表示面
３２    液晶パネル
３３    表示基板
４０    電池収容ユニット
４１    電池収容部
４１ａ  開口
４２    電池カバー
４３    ヒンジ部
４３ａ  第１ヒンジ軸
４３ｂ  第２ヒンジ軸
５１    表示配線
【図１】
2017054157.tif 000003
【図２】
2017054157.tif 000004
【図３】
2017054157.tif 000005
【図４】
2017054157.tif 000006
【図５】
2017054157.tif 000007
【図６】
2017054157.tif 000008
【図７】
2017054157.tif 000009